Podtech/llm-jp-corpus-v4-ja_patent huggingface dataset:
(57)【要約】      （修正有）【課題】仰向けで寝て腰に本体を敷き、上下肢の引き伸ばしをしながら腰のつぼを押圧する健康器具を提供する。【解決手段】本体の構造は、先ず底板１の両側に把手８部をもつバ−４をそれぞれ位置し、それに関連する一体化した直角からなる軸棒の先をさらに直角にして、本体中央部に回転しながら上下動する押圧ピン５をそれぞれ設ける。それらの中心の軸棒には摩擦止め具で覆い、その上を軸受け金具で囲い回転が容易となるように底板１に固定する。本体の上板６には腰部をソフトに受け止める様に腰のラインの形状を配慮した凹凸面７を施し底板１に合体させる。操作する人の意思により２つのバ−を自在に操作することで、中央部の押圧ピン２個が身体の腰椎のつぼを押圧するもので、それは身体の負荷を利用して上下肢を引き伸ばし、牽引効果をもたらしながら腰椎のつぼを押圧出来る。【選択図】図１
2009034472.tif 000002
【特許請求の範囲】
【請求項１】
本体の両側に把手部をもつバ−をそれぞれ設け、それに関連する一体化した軸棒の先で本体中央部に押圧ピンをそれぞれ取り付ける。それらの軸棒は回転し可動出来るように本体に固定する。仰向けに寝て本体を腰部に敷き、操作する人の意思により２つのバ−をそれぞれ自在に可動させることで、中央部の押圧ピン２個が回転しながら上下動する。それは身体の負荷を利用して上下肢を引き伸ばし、牽引効果をもたらしながら腰椎のつぼを押圧出来ることを特徴とする腰の健康器具。
【発明の詳細な説明】
【技術分野】
【０００１】  本発明は、仰向けで寝て腰に本体を敷き、上下肢の引き伸ばしをしながら腰のつぼを押圧する健康器具に関するものである。本体の両端に手で握るバ−、それと一体化した軸棒先端で本体の中央部に押圧ピンを設ける。それらの軸棒は本体に回転可動できる状態でそれぞれ固定する。操作する人の意思によりバ−を足元方向に可動させることで、押圧ピンが自在につぼに押圧を加えることが出来ようにしたものである。
【背景技術】
【０００２】  従来から、腰部における器具は種々ありますが、押圧ポイントを腰にあてがうもので簡易なものです。自分の意思で押圧の時間、数、強弱等をコントロール出来るものはありません。  また持運び型で身体の上下肢の引き伸ばしはもとより、引き伸ばしながら押圧できるものはまったくありません。
【発明の開示】
【発明が解決しようとする課題】
【０００３】  さまざまな原因で腰痛になる人は多く、専門治療を望むことになるが治療には時間とお金がかかる。そこで自分で解消できる健康器具に依存する割合は多くなる。  腰痛緩和目的の従来の健康器具は、腰部のつぼ押し又は揉みほぐしに終始し、いずれも身を任せる器具が一般的であり、押圧の強弱や時間をコントロ−ルしにくい面がある。  また上下肢を引き伸ばしながら押圧する器具は市場にはまったく見当らない。そこで本発明はそれらを解決するために考案したものである。
【課題を解決するための手段】
【０００４】  痛みに圧迫・揉捻・押圧・引き伸ばし等の治療は筋肉がほぐれ、血行を促し痛みを柔げ自然治癒力を高める方法として有効であり整体治療等で広く実践されている。そうした多様な効果を持つ器具があれば個人で好きな時に治療が出来るが、こうした器具は市場や特許公報には見当らない。そこで本発明はそれらを解決するために考案したものである。
【発明の効果】
【０００５】  バ−が操作する人により可動することで安心感が持てる。また弓なり状態は腰部の周囲筋を引き伸ばすことになり、リラックス効果が生じる。両手でバ−を足元方向へ押す事で上肢は頭部方向に伸び、２個の押圧ピンはそれぞれ自在に回転しながら下肢を足元方向へ引き離すように可動する。  その引き伸ばしと押圧は牽引効果をもたらしながら圧迫・揉捻・押圧等の効果をもたらすもので、指圧に劣らぬる心地よさと快感が得られる。腰椎のみならず脊椎の歪みを改善したり、神経の回復や筋肉のストレッチを伴い、ほぐし効果があり血行を促して筋肉のゆるみやこり取りに効果がある。
【実施例１】
【０００６】  図１は、本体の見取り図で、本体は主に底板１と上板６で構成される。その本体両側に把手８を設けたバ−４を設け、それと一体化した中央部に押圧ピン５を施し、表面には腰のラインの形状を配慮した凹凸面７を施したものである。【０００７】  図２は、本体の構造図で、底板１に把手８を設けたバ−４と中央部に玉子形状の押圧ピン５が一体化した軸棒３を備え、その軸棒３を受け止め回転可能な状態となるよう摩擦止め具１１と軸受け金具２を施し、それらをボルト１２とナット１３で固定する。上板６には腰のラインの形状を配慮した凹凸面７を施し、底板１に合体させネジネジ穴９にネジで１０で固定する。【０００８】  上板６はプラスチック、金属でも良いが、これらの表面の材質は・ゴム等・布・スポンジ・革等でカバ−を施すのも良い。身体にやさしいのはスポンジ材質に生地でカバ−をかけるのが良い。把手部８にはゴムやプラスチックの握りやすいグリップを設けると良い。押圧ピン５は丈夫に細工をすれば金属・プラスチック・ゴムいずれでも良い。但し形状は回転移動を配慮したものであること。軸受け金具２は摩擦止め具１１と軸棒３を安定して受けれるものであれば良い。その形状は半円柱と平板状・半円柱と半円柱または円柱の構成でも良い。摩擦止め具１１は軸棒３を受けるもので、革も良い。
【産業上の利用可能性】
【０００９】  腰痛で悩まれる人々の割合の多さを考え、それに対応する本発明は工業的に量産が可能であり、おおいに産業上の利用可能性を有する。
【図面の簡単な説明】
【００１０】
【図１】本発明の見取図である。
【図２】本発明の構造図である。
【符号の説明】
【００１１】  １  底板  ２  軸受け金具  ３  軸棒  ４  バ−  ５  押圧ピン  ６  上板  ７  腰のラインの形状を配慮した凹凸面  ８  把手  ９  ネジ穴１０  ネジ１１  摩擦止め具１２  ボルト１３  ナット
【図１】
2009034472.tif 000003
【図２】
2009034472.tif 000004
(57)【要約】      （修正有）【課題】多くの女性が自分の下着を干すときに『恥ずかしさ』、『他人から見られたくない』という感情を抱いていた。また、下着泥棒の経験を持つ女性も多い。下着の周りにタオル等の目隠しになるものを干すなどの工夫をすることもあったが、多くは下着を洗濯し、干すことを優先させて、恥ずかしさ等の感情を押し殺してきたと言える。  そこで、この発明は下着を屋外へ干すことへの抵抗感を軽減し、下着泥棒危険そのものを軽減する装置を提供することを課題とする。【解決手段】  「物干装置」のまわりカーテンの取りつけを可能とするカーテンレール等を装着させ、「物干装置」にカーテンによる「目隠し機能」付加したことである。また、カーテンには通気性のある形状を持たせ、素材も直射日光に長時間耐えられる素材を採用する。【選択図】図１
2009034466.tif 000002
【特許請求の範囲】
【請求項１】
女性用下着等の洗濯物を外部から見えないように干すことを特徴とする「目隠しカーテン付き下着用物干装置」。
【請求項２】
前記下着用物干しは、各家庭で使用されている「物干装置」に目隠しのためのカーテン（布）を装着し、女性用の下着等、外部から見られたくない洗濯物を干すことができることを特徴とする請求項１記載の「目隠しカーテン付き下着用物干装置」。
【発明の詳細な説明】
【技術分野】
【０００１】  この発明は、女性が下着等の洗濯物を屋外へ干すときに感じる恥ずかしさや外部から見られたくないという感情を軽減するとともに、近年、問題視されている下着泥棒対策に応える装置に関する。
【背景技術】
【０００２】  洗濯物を干す「物干装置」は、これまでも様々な形状のものが開発されてきた。
また、室内用のカーテンも様々な形状のカーテンレールにカーテンを取り付けることを可能にしてきた。
さらに、通気性がよく、屋外で長時間直射日光にさらされても耐えられる素材の布等が開発されている。
【発明の開示】
【発明が解決しようとする課題】
【０００３】  これまで、多くの女性が自分の下着を干すときに『恥ずかしさ』や『他人から見られたくない』という感情を抱いていた。また、下着泥棒への心配を感じ、実際に被害にあった経験を持つ女性も多い。一部の家庭では、下着の周りにタオル等の目隠しになるものを干すなどの工夫をすることもあったが、多くは下着を洗濯し、干すことを優先させて、恥ずかしさ等の感情を押し殺してきたと言える。
そこで、この発明は、「物干装置」そのものに「目隠し機能」を備え、下着を屋外へ干すことへの抵抗感を軽減し、さらに下着泥棒への視覚的な刺激を避け、被害の危険そのものを軽減する装置を提供することを課題とする。
【課題を解決するための手段】
【０００４】  以上の課題を解決するために、第一発明は「物干装置」のまわりカーテンの取りつけを可能とするカーテンレール等を装着させ、「物干装置」にカーテンによる「目隠し機能」付加したことである。
また、第二発明は、カーテンには通気性のある形状を持たせ、素材も直射日光に長時間耐えられる素材を採用することである。
【発明の効果】
【０００５】  第一発明、第二発明によれば、「物干装置」に通気性と目隠し機能を備えた「カーテン」を装着することにより、下着等の洗濯物を外部から見えなくし、恥ずかしさ等の抵抗感を軽減し、また下着泥棒等の目に直接触れることを遮断し、被害の危険そのものを軽減することを可能にする。
【発明を実施するための最良の形態】
【０００６】  この発明の一実施形態を図１に示す。
「物干装置」のまわりには、カーテンレールが装備され、「目隠し機能」を有するカーテンが取り付けられている。カーテンを通気性に富んだ形状にし、その素材を直射日光等への耐久性を重視して選定することにより、「物干し」と「目隠し」の効果を実現する。【０００７】「実施形態の効果」
この実施形態によれば、従前の「物干装置」の形態と機能をそのまま生かし、それにカーテンレールとカーテンを装着して、本発明が解決しようとする課題を解決することができる。すなわち、既存のものの組み合わせで、これまで多くの女性らが感じていた「恥ずかしさ」等の感情を軽減し、下着泥棒等の犯罪を未然に防ぐ可能性を高める。また、既存のものの組み合わせ故に低廉で全国展開が容易で、これまで女性や家族の中で内在してきた不安や不満、被害の解消することに寄与する。【０００８】「他の実施形態」
「物干装置」に「カーテン」による「目隠し機能」をもたせる設計になっているが、他の実施形態では、カーテンに限らず、ひも状、薄板状の「すだれ」を「物干装置」のまわりに装着する形で、通気性を保ちながら目隠し機能を付加する。
【図面の簡単な説明】
【０００９】
【図１】この発明の一実施形態を示す斜視図である。
【図２】他の実施形態を示す斜視図である。
【符号の説明】
【００１０】    １  目隠し機能を有し通気性のあるカーテン
２  物干装置
３  目隠し機能を有するすだれ
【図１】
2009034466.tif 000003
【図２】
2009034466.tif 000004
(57)【要約】【課題】トイレットペーパーの引き出し方向が視認できる符号を提供する【解決手段】  トイレットペーパーの引き出し方向が確認できる符号を設けたことを特徴とするトイレットペーパー符号【選択図】図１
2009034467.tif 000002
【特許請求の範囲】
【請求項１】
トイレットペーパーの引き出し方向が確認できる符号を設けたことを特徴とするトイレットペーパー符号。
【発明の詳細な説明】
【技術分野】
【０００１】  本発明は、トイレットペーパーの引き出し口の符号に関するものである。
【背景技術】
【０００２】  従来、トイレットペーパーの引き出し口に糊付けしたものはあった。
【発明の開示】
【発明が解決しようとする課題】
【０００３】  そのため、次のような問題点があった。
（イ）トイレットペーパーを取り付けホルダーに装着しても目がわるいと裏側になっていることがある。
（ロ）トイレットペーパーを取りはずして引き出し口を表側にしなければならず大変だった。
本発明は、これらの問題点を解決するためになされたものである。
【課題を解決するための手段】
【０００４】  トイレットペーパーの表側の引き出し口の方向を確認できる符号を設ける。
以上を特徴とするトイレットペーパー符号である。
【発明の効果】
【０００５】  トイレットペーパーの引き出し口を確認できる符号により間違いなくホルダーに取り付けられるので大変便利である。
【発明を実施するための最良の形態】
【０００６】  以下、本発明の実施の形態について説明する。
トイレットペーパー（２）の表側の引き出し口を確認できる符号（４）を設ける。
本発明は以上のような構成で、これを使用するときは、符号（４）をよく見て引き出し口を表側にしてホルダーに取り付けるのである。
【実施例１】
【０００７】  図２に示すように糊付け（３）の手前に爪でおこす点線の符号（５）を設けてもよい。
本発明によって視認し素早くホルダーに取り付け引きだせるのである
【図面の簡単な説明】
【０００８】
【図１】本発明の斜視図
【図２】本発明の他の実施例を示す斜視図
【符号に説明】
【０００９】  １  ロール筒
２  トイレットペーパー
３  糊付け
４  符号
５  符号
【図１】
2009034467.tif 000003
【図２】
2009034467.tif 000004
(57)【要約】【課題】  本発明は、シンクに発生するごみを、受皿と掃除板を利用して、素早くごみを処理すると同時に、掃除板の利用法を変えることで、ごみ取り具がごみ受具に一変する、シンクごみ取り具を提供する。【解決手段】  水抜き穴（２）を穿設した、ちり取り様の受皿（１）の周縁を立設された枠体（４）とし、その一部に左右対称の掃除板差し込み溝（６）を、手前には、持手（７）を各々設け、他方、前記掃除板差し込み溝（６）に噛合する噛合溝（９）をもった掃除板（５）を別に形成し、スポンジ（８）を接着したこの掃除板（５）を、前記受皿（１）に着在自在となるよう構成したことを特徴とする、シンク用ごみ取り具。【選択図】図３
2009034470.tif 000002
【特許請求の範囲】
【請求項１】
水抜き穴（２）を穿設した、ちり取り様の受皿（１）の周縁を立設された枠体（４）とし、その一部に左右対称の掃除板差し込み溝（６）を、手前には、持手（７）を各々設け、他方、前記掃除板差し込み溝（６）に噛合する噛合溝（９）をもった、掃除板（５）を別に形成し、スポンジ（８）を接着したこの掃除板（５）を、前記受皿（１）に着在自在となるよう構成したことを特徴とする、シンク用ごみ取り具。
【発明の詳細な説明】
【技術分野】
【０００１】  本発明は、受具と、掃除板を利用して、シンクに発生するごみを素早く処理すると同時に、掃除板の利用法を変えることで、ごみ取り具がごみ受具に一変する、シンク用ごみ取り具に関するものである。
【背景技術】
【０００２】  従来、シンクに発生したごみは、水で流したりたわしなどで掃除してシンク中央周辺に設置されたごみ取り受具に入れている。
また、シンク中央部のごみ受具に入らず、外側にある大きなごみは、手で別に設置された三角コーナーなどに入れている。
【発明が解決しようとする課題】
【０００３】  そのために、次のような問題点があった。
（イ）シンク中央にある排水口に設置されているごみ受具に、小さなごみは水と共に流されたり、掃除具で入れているが、大きなごみは、シンクのなかで散乱している。
（ロ）大きなごみは別に設置された三角コーナーなどに入れて、水切りのあと、別のごみ袋へ入れているが、スムースに入らない場合があり、袋の外側へこぼれるなど欠点がある。
本発明は以上の問題点を解決しようとするものである。
【課題を解決するための手段】
【０００４】    水抜き穴（２）を穿設した、ちり取り様の受皿（１）の周縁を立設された枠体（４）とし、その一部に左右対称の掃除板差込み溝（６）を、手前には、持手（７）を各々設け、他方、前記掃除板差し込み溝（６）に噛合する噛合溝（９）をもった、掃除板（５）を別に形成し、スポンジ（８）を接着したこの掃除板（５）を、前記受皿（１）に着在自在となるよう構成したことを特徴とする、シンク用ごみ取り具である。
【発明の効果】
【０００５】  本発明は、シンクで発生するごみを、スポンジ付き掃除板でスポンジと板を利用して、効率的にごみ取り具に捕集して水抜きを行い適当なごみ袋へ入れる。
掃除が終ると掃除板差し込み溝へ、掃除板の噛合溝を噛合すると、ごみ受具に一変するので、ごみ受具として利用し一杯になると、噛合されている掃除板を引上げ、開口部からごみ袋へ入れることができるなど利用効果が高い。
【発明を実施するための最良の形態】
【０００６】  以下、本発明の実施の形態を説明する。
（イ）受皿（１）に無数の水抜き穴（２）を設け、受皿（１）の先端に開口部（３）と枠体（４）を設けて、その一部に左右対称の掃除板差し込み溝（６）と手前に持手（７）を設ける。
また、シンクで発生する生ごみを掃除する道具として、掃除板（５）を別に形成する。
（ロ）掃除板（５）を更に利用価値の高いものにするため、別にスポンジ（８）を形成し、掃除板（５）とスポンジ（８）を接着する掃除板（５）の一部左右対称に、噛合溝（９）を設け、掃除板差し込み溝（６）と噛合溝（９）が簡単に噛合できるよう形成する。
また、シンク用ごみ取り具として手軽に素早く使用できるように、開口部（３）は１５ｃｍ前後の幅とし、奥行きも１５ｃｍ前後に、枠体（４）の高さも５ｃｍ前後と利用価値が高くなるよう形成する。
本発明は、以上のような構成よりなっている。
【実施例１】
【０００７】  本発明を使用するときは、図３に示すように、片方の手でシンク内の散乱している生ごみを、掃除板（５）のスポンジ（８）を利用して寄せ集めもう一方の手は、受皿（１）についている持手（７）を握る。
この体勢で開口部（３）に向けて掃除板（５）のスポンジ（８）利用してスムースに入れる。
開口部（３）の幅は１５ｃｍ前後とするが、掃除板（５）スポンジ（８）の幅は１３ｃｍ前後に形成する。
【実施例２】
【０００８】  図１に示すように、スポンジ（８）を外側にして、掃除板（５）の噛合溝（９）を掃除板差し込み溝（６）に噛合すると、ごみ受具に一変しごみが一杯になると、掃除板（５）引き上げると掃除板差し込み溝（６）から噛合溝（９）が外れ開口部（３）からごみ袋などに入れることができる。
このように実施例１、２に示すように利用価値が高くなる。
【図面の簡単な説明】
【０００９】
【図１】  本発明の斜視図である。
【図２】  本発明の分解斜視図である。
【図３】  本発明の使用状態を示した斜視図である。
【符号の説明】
【００１０】    １  受皿
２  水抜き穴
３  開口部
４  枠体
５  掃除板
６  掃除板差し込み溝
７  持手
８  スポンジ
９  噛合溝
【図１】
2009034470.tif 000003
【図２】
2009034470.tif 000004
【図３】
2009034470.tif 000005
(57)【要約】【課題】布袋の中身を、雨や外部からの水の染み込みから濡れないようにする。水分や汁気のある物を布袋に入れた時、水分や汁気の染み出しから布袋や衣服が汚れないようにする。汚れたら洗えるようにする。【解決手段】防水効果のある生地でインナー袋を作り、布袋に入れることによって、外側からの水の染み込みを防ぎ、中身が濡れないようにした。水分や汁気のある物を、インナー袋に入れることによって、内側からの染み出しを防ぎ、布袋や衣服が汚れないようにした。インナー袋は、水に強い生地にすることによって、汚れたら洗えるようにした。【選択図】図２
2009034463.tif 000002
【特許請求の範囲】
【請求項１】
布袋に防水効果のあるインナー袋を入れることにより、外部からの水の染み込みを防ぐので、中身を濡らすのを防ぎます。水分や汁気のある物を防水効果のあるインナー袋の中に入れることにより、内部からの水分や汁気の染み出しを防ぐので、布袋や衣服を汚すのを防ぎます。インナー袋は汚れたら洗えることにより、清潔になります。インナー袋の生地は、布と同じように簡単に裁断、縫製加工ができるので、布袋の色々な形状、サイズに合わせてインナー袋を作ることができます。
【発明の詳細な説明】
【技術分野】
【０００１】本発明は、布袋の弱点である水に弱いところを解決するために、防水効果のある生地で作られたインナー袋を布袋に入れることで、外部からの雨の染み込みを防ぐことで大切な中身を守り、内部に水分や汁気のある物を入れても、染み出しを防ぐことで布袋や衣服を汚すのを防ぎます。インナー袋は汚れたら取り替えるのではなく、洗えるので清潔です。
【背景技術】
【０００２】従来は、インナー袋付き布袋は無かった。汚れたら洗えるインナー袋のついた布袋はなかった。
【発明の開示】
【発明が解決するための課題】
【０００３】軽くて持ち運びに便利な布袋は、雨や雪降りに、外部からの水の染み込みで中身を濡らしてしまうという課題があった。スーパーなどでの買い物で、水分や汁気のある物を布袋に入れると、水分や汁気が染み出して布袋や衣服を汚してしまうという課題があった。布袋を汚れたままにしておくと、見た目も汚く不潔で、悪臭やカビが発生してしまうという課題があった。
【課題を解決するための手段】
【０００４】防水効果のあるポリエチレンフィルムをエンボス加工して、弾力性のある発泡ポリエチレンシートに熱で貼ることによって、強度が増した縫製加工のしやすい生地になるようにした。この防水効果のある弾力性に優れた生地からインナー袋を作り、布袋の中に入れることによって、外部からの水の染み込みを防ぎ、中身を濡らさないようにした。内部に水分や汁気のある物を入れても染み出しを防ぐことによって、布袋や衣服が汚れないようにした。インナー袋は、水に強い生地から作られているので汚れたら簡単に布袋からだして洗えるようにした。布袋にインナー袋を入れたまま小さく折りたたむことができるので、携帯に便利なようにした。
【発明の効果】
【０００５】発泡ポリエチレン側は、弾力性があり滑り止め効果があるので、外側にすることでインナー袋はずれません。内側になるエンボス加工ポリエチレンフィルムは滑るので、物の出し入れがスムーズにできることと、防水効果があるので、外部からの水の染み込みを防ぐことで中身を守り、内側に水分や汁気のある物を入れても染み出しを防ぐことで、布袋や衣服が汚れるのを防ぐことができる。インナー袋は、汚れたら簡単に布袋からだして洗うことができるので、布袋はいつも奇麗で、インナー袋はいつも清潔感を保つことができる。
【実施例１】
【０００６】図２
【図面の簡単な説明】
【０００７】
【図１】本発明の生地の断面図である。
【図２】本発明の使用状態を示す断面図である。
【符号の説明】
【０００８】１  発泡ポリエチレンシート
２  エンボス加工ポリエチレンフィルム
３  布袋
【図１】
2009034463.tif 000003
【図２】
2009034463.tif 000004
(57)【要約】【課題】  留置針の外針ハブの挿入ポートを容易に消毒でき、キャップ無しの挿入ポートを提供する。【解決手段】  留置針の外針ハブ（６）は弾性材質で形成された弁体（４）を有した挿入ポート（５）備え挿入ポート（５）はハウジング（３）と弾性材質で形成されスリット（２）が形成された弁体（４）を設け、外針ハブ（６）に装着したことを特徴とした留置針の構造。【選択図】図１
2009034461.tif 000002
【特許請求の範囲】
【請求項１】
留置針の外針ハブ（６）は弾性材質で形成された弁体（４）を有した挿入ポート（５）備え挿入ポート（５）はハウジング（３）と弾性材質で形成されスリット（２）が形成された弁体（４）を設け、外針ハブ（６）に装着したことを特徴とした留置針の構造。
【発明の詳細な説明】
【技術分野】
【０００１】  この発明は、留置針の外針ハブに弁体付挿入ポートを付けた留置針の構造に関するものである。
【背景技術】
【０００２】  従来の留置針の構造は、外針ハブにキャップ付の挿入ポートが装着されているものであった。
【発明の開示】
【発明が解決しようとする課題】
【０００３】  これらは次のような欠点があった。
（イ）挿入ポートを使用する場合、付属のキャップを取り外し、使用後は付属のキャップ    を取り付けなければならないが、キャップを取り付けることを忘れることがあった。
（ロ）挿入ポートを使用する場合、挿入ポート部分を消毒しなければいけないが、挿入ポ    ートの形状が凹型のため、挿入ポート内部の消毒が煩雑であった。
本発明は、以上のような欠点をなくすためになされたものである。
【課題を解決するための手段】
【０００４】  留置針の外針ハブ（６）は弾性材質で形成された弁体（４）を有した挿入ポート（５）を備え、挿入ポート（５）はハウジング（３）と弾性材質で形成されスリット（２）が形成された弁体（４）を設け、外針ハブ（６）に装着したことを特徴とした留置針の構造。
【発明を実施するための最良の形態】
【０００５】  以下、本発明の実施形態を図１、図２を参照にして説明をする。
図１は本実施形態の挿入ポートを装着した留置針外針ハブを示した断面図である。
図２は本実施形態の挿入ポート部に管体を挿入した状態を示した断面図である。【０００６】  図１に示すように、本発明の実施形態の留置針の外針ハブ（６）は弾性材料で形成された弁体（４）を有した挿入ポート（５）を備える。【０００７】  挿入ポート（５）はハウジング（３）と弾性材質で形成されスリット（２）が形成された弁体（４）が設けられており、外針ハブ（６）に装着されている。
挿入ポート（５）の開口部と弁体（４）の表面とが近接し、挿入ポートの開口部及び弁体の表面を容易に消毒することができる。【０００８】  弁体（４）は自然状態では閉塞状態をなすスリット（２）が形成されている。【０００９】  ハウジング（３）内には隙間部（８）が形成されている。
管体（１）が弁体（４）表面を押圧して挿入ポート（５）に接続されたとき、図２に示すように弁体（４）が変形して隙間部（８）に入り込むと同時にスリット（２）が開口するとともに、管内（１）の流体は外針ハブ（６）内へと流れ、さらにカテーテル（７）に流れる。【００１０】  管体（１）を挿入ポート（５）から外した後、弁体（４）は弾性材質で形成されているため、容易に形状が復元しスリット（２）が閉口し、既流体が弁体から挿入ポート外に漏れ出すことを防止できる。
【発明効果】
【００１１】  本発明によって、挿入ポートを容易に消毒でき、管体内の流体を挿入ポートを介して容易に留置針外針ハブ内へ注入することができる。
また、管体を挿入ポートから外した後も、スリットは確実に閉塞されるので、例えば、流体が逆流した場合でも、既流体が弁体から挿入ポート外に漏れ出すことを防止することができる。
【図面の簡単な説明】
【００１２】
【図１】  本実施形態の挿入ポートを示した断面図である。
【図２】  本実施形態の挿入ポートに管体を挿入した状態を示した断面図ある。
【符号の説明】
【００１３】        １  管体
２  スリット
３  ハウジング
４  弁体
５  挿入ポート
６  外針ハブ
７  カテーテル
８  隙間部
【図１】
2009034461.tif 000003
【図２】
2009034461.tif 000004
(57)【要約】【課題】  吸収パッドを適切な位置に装着できる生理用、失禁用、介護用ショーツを提供する。【解決手段】  生理用、失禁用、介護用ショーツに目安となるマークを設け、吸収パッドを適切な位置に装着できるようにする。【選択図】図１
2009034464.tif 000002
【特許請求の範囲】
【請求項１】
吸収パッドを適切な位置に装着する目安となるマークや切り替え等を有する、生理用、失禁用、介護用ショーツ
【発明の詳細な説明】
【技術分野】
【０００１】  本発明は吸収パッドを適切な位置に装着する目安となるマークや切り替え等を有する、生理用、失禁用、介護用ショーツに関するものである。
【背景技術】
【０００２】  吸収パッドは生理用、失禁用、介護用ショーツに貼り付けてから装着する。吸収パッドは液体の横漏れや後ろつたいを防ぐため、股間部の形状に合わせさまざまな工夫がされ高機能を持っている。
【発明の開示】
【発明が解決しようとする課題】
【０００３】  吸収パッドを生理用、失禁用、介護用ショーツに装着するとき次のような問題点があった。ショーツは股間の液体の出口に接する部分がわかりづらい。吸収パッドは適切な位置に装着されなければその機能を十分に発揮できず、漏れの原因になる事が多い。
液体が点で吸収されるのに対し吸収パッドが細長い形状をしているのは前後の位置が正しく装着されないことも考慮されている。
本発明は、以上の問題点を解決し、吸収パッドを生理用、失禁用、介護用ショーツの適切な位置に装着できるようにしたものである。
【課題を解決するための手段】
【０００４】  生理用、失禁用、介護用ショーツに吸収パッドを適切な位置に装着する目安となるマークを設ける。
【発明の効果】
【０００５】  吸収パッドが適切な位置に装着され、機能を最大に発揮し、液体の漏れがなくなる。適切な位置に装着されれば吸収パッドは最小限の大きさで事足りる。吸収パッドの大幅な小型化にもつながり経済的であり、使用感がよくなり、持ち運び等大変便利である。
【発明を実施するための最良の形態】
【０００６】  以下、本発明の実施の形態を説明する。
図１は体液の出口にあたる位置を目安とするマークを有する実施例である。Ａは目安となるマークでありこの位置はサイズごとに体液の出口の平均的な位置、使用方法により割り出す。図２は吸収パッド先端部分を目安とするマークＢを有する実施例である。
マークは簡単なデザインでよく、刺繍でもプリントでもよい。またこの位置を縫製や柄の切り替え部分に置き換えて、それを目安としてもよい。
通常生理用、失禁用、介護用ショーツを下した状態で吸収パッドを装着する。目安となるマークに、一回目は吸収パッドをそれに対応させて装着し、二回目以降は各人の使用状況により目安のマークを基準に位置を微調整して装着する。
【図面の簡単な説明】
【０００７】
【図１】体液の出口に接する位置を目安とするマークを有する実施例の展開図
【図２】体液の出口に接する位置を目安とするマークを有する実施例の中面側から見た斜視図
【図３】吸収パッド先端部分を目安とするマークを有する実施例の展開図
【符号の説明】
【０００８】  １  ショーツの前身頃
２  ショーツの後見頃
Ａ  体液の出口にあたる位置を目安とするマーク
Ｂ  吸収パッド先端部分を目安とするマーク
【図１】
2009034464.tif 000003
【図２】
2009034464.tif 000004
【図３】
2009034464.tif 000005
(57)【要約】【課題】  身体の部位によって、長い形状のタオルが洗い易い場合と丸い形状のタオルが洗い易い場合があるので、その不都合を一つのタオルで解決しようとするものです。【解決手段】  長い形状のタオルにリボンを通すことにより、リボンを軸にギャザーを寄せて丸い形状に変化させることができ、身体のどの部位も洗い易くできるものです。【選択図】図１
2009034465.tif 000002
【特許請求の範囲】
【請求項１】
リボンを中央に通すことにより、形状を変化させることができることを特長とする、タオル。
【請求項２】
リボンを一方の縁の端に通すことにより、形状を変化させることができることを特長とするタオル。
【発明の詳細な説明】
【技術分野】
【０００１】  本発明は、タオルで身体を洗おうとする時、身体の部位に応じてその部位を洗い易くするために、形状を変化させることができる、タオルに関するものである。
【背景技術】
【０００２】  従来のタオルの形状は、長い形状又は、丸い形状のどちらかで、長い形状のタオルを手でたたむか適当に丸い形にして使用するものである。
【発明の開示】
【発明が解決しようとする課題】
【０００３】  長い形状のタオルを使用する場合、背中、でん部を洗うのは容易であるが、手、足、胸部、腹部を洗おうとする時、折りたたむか、適当に丸めて使用するが、持ちにくかったり、泡立が充分でないという問題がある、又固定的な丸い形状のタオルを使用する場合は、持ち易く手、足、胸部、腹部を洗うのは容易であるが、背中、でん部を洗おうとする時は、手がとどきにくいという問題がある。
【課題を解決するための手段】
【０００４】  この課題を解決するため請求項１の発明は、長い形状のタオルの幅が半分になるように、両縁を中央で重ね、その重なった部分を細長く二筋縫いとめ、その間にリボンを通し両端に１０ｃｍ程出し、リボンの長さの半分の位置の中央を固定する、そしてタオルを半分に折り、リボンの両端を持ってタオルを縮めると、リボンの両惻に、幅１／２のギャザーがある丸い形状のタオルに変化させることができる。【０００５】  また、請求項２の発明は、長い形状のタオルの幅がほぼ半分になるように、両縁をタオルの端で重ね、リボンを通すことができるように縫い、リボンを通し、中央で固定し、タオルを半分に折り、両端より１０ｃｍ程出したリボンを持って、タオルを縮めると、リボンに沿って、タオルの幅と同じ幅のギャザーのある、丸い形状のタオルに変化できる。
【発明を実施するための最良の形態】
【０００６】  図１は、タオルの縁を中央で重ね縫い止め、その間にリボンを通した場合の長い形状の図である。図２はその断面図である。図３は、タオルの中央にリボンを通すことにより、リボンの両側に、タオルの１／２の幅のギャザーのある丸い形状の図である。図１から図３のように変化させる場合、タオルを半分に折り、リボンの両端を片手で持ち、もう片方の手でタオルを押し縮めることにより、長い形状から丸い形状に変化させることができる。【０００７】  図４は、タオルの縁を、端で重ね縫い止めそこにリボンを通した場合の、長い形状の図である。図５はその断面図である。図６は、タオルの端にリボンを通すことにより、タオルと同じ幅のギャザーのある丸い形状の図である。図４から図６のように長い形状から丸い形状に変化させるには、中央にリボンを通した場合と同じ方法である。【０００８】  図７は、タオルを縮めた後の残ったリボンの処置の１例を示した図である。残ったリボンで、図のように巻目を作り、リボンの端を中心の中に押し入れな丸い形状の図である。この形状は、持ち易く、泡立が良く、手、足、胸部、腹部を容易に洗うことができる。
【産業上の利用可能性】
【０００９】  本発明に係る二方式タオルは、工業的に量産することが可能であるため、産業上の利用可能性を有する。
【図面の簡単な説明】
【００１０】
【図１】  タオルの縁を中央で重ね縫い止め、その間にリボンを通した長い形状の図である。
【図２】  タオルの中央にリボンを通した場合の断面図である。
【図３】  半分に折ったタオルを、中央のリボンを軸に縮めた、ギャザーのある丸い形状の図である。
【図４】  タオルの縁を端で重ね縫い止め、そこにリボンを通した長い形状の図である。
【図５】  タオルの端に、リボンを通した場合の断面図である。
【図６】  半分に折ったタオルを、タオルの端に通したリボンに沿って縮めた、ギャザーある丸い形状の図である。
【図７】  タオルを縮めた後、残ったリボンで巻目を作り、その端をギャザーの中心に押し入れた図である。
【符号の説明】
【００１１】１      縫い目
２      リボン
３      ギャザー
４      残ったリボンで作った巻目
【図１】
2009034465.tif 000003
【図２】
2009034465.tif 000004
【図３】
2009034465.tif 000005
【図４】
2009034465.tif 000006
【図５】
2009034465.tif 000007
【図６】
2009034465.tif 000008
【図７】
2009034465.tif 000009
(57)【要約】【課題】駆動軸が増設できるロボット制御装置で、増設部の駆動軸制御部分の温度異常も合わせて検出しながら、温度判定手段を増やさずに済むコストを低減できるシステムを提供する。【解決手段】ロボット制御装置に元々備えられたロボット制御部の温度検出手段１２に増設した駆動軸の温度検出手段１３を並列に接続しその両端の信号を温度異常判定手段１４に入力し判定することで、異常判定手段を増やすことなく制御装置内の温度異常を検出できる。そのため、システムを大きく変更することなく、製造コストを低減することができる。【選択図】図１
2009034749.tif 000002
【特許請求の範囲】
【請求項１】
駆動軸が増設できるロボット制御装置において、
前記制御装置のロボット制御部分の温度異常検出手段と前記制御装置の増設軸制御部分の温度異常検出手段とを並列に接続した温度異常検出手段と、前記温度検出手段からの信号をまとめて判断することが可能な、前記制御装置の温度異常判定手段とを備えることを特徴とするロボット制御装置。
【発明の詳細な説明】
【技術分野】
【０００１】
本発明は、増設駆動軸付ロボット制御装置において、ロボット制御部の温度異常と増設軸温度異常をそれぞれの検出手段を並列に接続することで検出するロボット制御装置に関する。
【背景技術】
【０００２】
この種の温度異常検出装置として、考えられる技術は温度異常検出手段を測定箇所数分用意し、そこで検出された信号を、測定箇所と同じ数の温度異常判定手段を用いて検出することや温度信号の切り替えによる温度異常判定（特許文献１参照）などが行われている。
【特許文献１】実開平５−７１７３７号公報
【発明の開示】
【発明が解決しようとする課題】
【０００３】
複数箇所の温度異常検出を行う場合、測定箇所ごとに用意したサーミスタ、サーモスイッチ等温度異常検出手段とその数と同じ異常検出信号を受信する判定手段が必要となり、システムが大きくなる、コストが高くなるという問題がある。
【０００４】
本発明は、上記事情に鑑みてなされたもので、１つの温度異常判定手段により、複数の測定箇所の温度異常を検出することで、システムのサイズを小さくでき、コスト低減することができるロボット制御装置を提供することにある。
【課題を解決するための手段】
【０００５】
請求項１の発明によれば、駆動軸が増設できるロボット制御装置のロボット制御部分の温度異常検出手段と前記制御装置の増設軸制御部分の温度異常検出手段とを並列に接続し、その１つの信号を判定することで、温度異常が制御装置内で発生していることを検出する。判定する信号が１つに限定される為、システムのサイズを小さくでき、製造コストを低減できる。
【発明を実施するための最良の形態】
【０００６】
以下、本発明の実施例について図１ないし図３を参照しながら説明する。図１は増設駆動軸付ロボット制御装置における温度異常検出システムの一実施例を示す図であり、図２は駆動軸付ロボット制御装置における温度異常検出システム１１の作動フローを示す図である。
【０００７】
図１にて駆動軸付ロボット制御装置における温度異常検出システム１１はロボット軸の温度異常を検出する温度検出手段１２と、増設駆動軸の温度異常を検出する温度検出手段１３と共に、温度異常の有無を判定する温度異常判定手段１４を有する。
【０００８】
温度検出手段１２は増設駆動軸ロボット制御装置のロボット軸筐体内に配置される。温度検出手段１２は温度が閾値Ｔａを越えるまでは電気的に非導通であり、閾値を超えると導通する温度センサである。
【０００９】
温度検出手段１３は増設駆動軸ロボット制御装置の増設軸筐体内に配置される。温度検出手段１３は温度検出手段１２と同様の温度センサである。
温度異常判定手段１４の回路図を図３に示す。温度正常時は回路中のＣＰＵのＩ／Ｏにて検知する電圧値が温度異常判定閾値Ｖａより大きい値となる。温度異常時は第１入力部１７と第２入力部１８が導通状態となり、ＣＰＵにて検知する電圧値は限りなく０に近づくため、温度異常判定閾値Ｖａ以下となる。このとき温度異常判定手段１４は温度異常信号１９を制御回路１５に伝達する。
【００１０】
温度異常信号１９を検知すると制御回路１５はロボット共に増設駆動軸の制御を停止する。
（１）温度異常判定手段１４にて測定電圧値が温度異常判定の閾値Ｖａに対して、大か小かを確認する。閾値Ｖａより大きい値であれば、増設駆動軸付ロボット制御装置筐体内に温度異常無しと判定し、温度異常判定を続行する。（図３  (１)）
（２）測定電圧値が閾値Ｖａ以下であれば、温度異常有りと判定し、制御回路１５に温度異常信号１９を伝達する。（図３  (２)）
（３）制御回路１５が温度異常信号１９を検知すると、制御回路はロボットと共に駆動軸の制御を停止する。（図３  (３)）
【００１１】
このような実施例によれば、１つのＩ／Ｏにて複数箇所の温度異常の検出可能となる。よって駆動軸が増設され、筐体が拡張した場合にもＩ／Ｏを増やすことなく容易に温度異常検出箇所を増設することができる。
【図面の簡単な説明】
【００１２】
【図１】増設駆動軸付ロボット制御装置における温度異常検出システム
【図２】増設駆動軸付ロボット制御装置における温度異常検出システムの作動フローチャート
【図３】増設駆動軸付ロボット制御装置における温度異常検出システムの回路図
【符号の説明】
【００１３】
図面中、１１は増設駆動軸付ロボット制御装置における温度異常検出システム、１２は温度検出手段、１３は温度検出手段、１４は温度異常判定手段、１５は制御回路、１６は温度異常検出手段、１７は第１入力部、１８は第２入力部、１９は温度異常信号を表す。
【図１】
2009034749.tif 000003
【図２】
2009034749.tif 000004
【図３】
2009034749.tif 000005
(57)【要約】【課題】金属やセラミックス等の高硬度材を軸付き砥石にて研削加工する場合、クーラント液と加工された切粉は、軸付き砥石の砥粒と砥粒の間の僅かな隙間に入り込むしかなかった。そのため、軸付き砥石の目詰まり等が発生しやすく、軸付き砥石の寿命を減少させ、また、被加工物の加工面の面粗さ等にも影響を与えていた。【解決手段】本発明のクーラントスリット付き軸付き砥石は、軸付き砥石の外周部と底部にクーラント液と加工粉が入り込むスリットを設けることで、軸付き砥石の長寿命化と高品位な研削加工が実現できる。【選択図】図１
2009034732.tif 000002
【特許請求の範囲】
【請求項１】
軸付き砥石において、側面の軸方向と、底面に軸方向と垂直方向に連続するスリットを設けたことを特徴とするクーラントスリット付き軸付き砥石。
【発明の詳細な説明】
【技術分野】
【０００１】
本発明は、クーラント液が加工点に集中して供給でき尚且つ切粉が入り込むスペースを設けた、クーラントスリット付き軸付き砥石に関する。
【背景技術】
【０００２】
金属やセラミックス等の高硬度材を軸付き砥石にて研削加工する場合、クーラント液と加工された切粉は、軸付き砥石の砥粒と砥粒の間の僅かな隙間に入り込むしかなかった。
【０００３】
【特許文献１】特開２００１−２４６６１５号公報
【発明の開示】
【発明が解決しようとする課題】
【０００４】
クーラントスリットがない軸付き砥石では、目詰まり等が発生しやすく、軸付き砥石の寿命を減少させ、また、被加工物の加工面の面粗さ等にも悪影響を与えていた。
【課題を解決するための手段】
【０００５】
上記課題を解決するために、本発明のクーラントスリット付き軸付き砥石は、請求項１に記載したように、軸付き砥石の外周部と底部にクーラント液と切粉が入り込むスリットを設けた。
【発明の効果】
【０００６】
軸付き砥石の長寿命化と高品位な研削加工が実現できる。
【発明を実施するための最良の形態】
【０００７】
使用する軸付き砥石の直径や長さによってクーラントスリットの形状を選択することで、クーラントスリット付き軸付き砥石による最良な研削加工を実現できる。
【実施例１】
【０００８】
図１は本発明の第１実施例による角形状のクーラントスリット付き軸付き砥石１の側面図と底面図である。図１に示すように本実施例のクーラントスリット付き軸付き砥石は、側面に軸方向と同一方向に角形状の側面スリット１１とそれと交差する底面に軸方向とは垂直方向に角形状の底面スリット１２が形成されている。
【実施例２】
【０００９】
図２は本発明の第２実施例によるV形状のクーラントスリット付き軸付き砥石２の側面図と底面図である。V形状の側面スリット２１及びV形状の底面スリット２２の形状をV形状に形成したものである。
【実施例３】
【００１０】
図３は本発明の第３実施例による半円形状のクーラントスリット付き軸付き砥石３の側面図と底面図である。半円形状の側面スリット３１及び半円形状の底面スリット３２の形状を半円形状に形成したものである。
【産業上の利用可能性】
【００１１】
本発明による請求項１記載のクーラントスリット付き軸付き砥石は軸付き砥石の外周部と底部にクーラント液と切粉が入り込むスリットを設けることで、軸付き砥石の長寿命化と高品位な研削加工が実現できる。
【図面の簡単な説明】
【００１２】
【図１】本発明の第１実施例による角形状のクーラントスリット付き軸付き砥石を示す図。
【図２】本発明の第２実施例によるV形状のクーラントスリット付き軸付き砥石を示す図。
【図３】本発明の第３実施例による半円形状のクーラントスリット付き軸付き砥石を示す図。
【符号の説明】
【００１３】
１…角形状のクーラントスリット付き軸付き砥石、１１…角形状の側面スリット、１２…角形状の底面スリット、２…V形状のクーラントスリット付き軸付き砥石、２１…V形状の側面スリット、２２…V形状の底面スリット、３…半円形状のクーラントスリット付き軸付き砥石、３１…半円形状の側面スリット、３３…半円形状の底面スリット。
【図１】
2009034732.tif 000003
【図２】
2009034732.tif 000004
【図３】
2009034732.tif 000005
(57)【要約】【課題】従来のこの作業は直接感覚で切り取るか、デバイス等の任意の巾を保持できる道具を使用して行った。感覚で切りと取る方法は早いが正確性を欠き、デバイス等を用いる方法もそれほど正確では無い上、２つの道具を使うため煩雑であった。【解決手段】本発明は煩わしさを感じることなく、簡単、正確に且つ大量に切り出すことが可能になる。【選択図】図１
2009247344.tif 000002
【特許請求の範囲】
【請求項１】
フライフィッシング（様式毛針釣り）のフライ（疑似餌）作成に於いてクイル（初列烈風風切羽根）を使用するタイプのフライを作成する場合目的の巾でクイルを切り出す必要がある。
本装置は目的の巾に可動することの出来る長い爪をクイルの手前端に当て、それより短い、ハサミに固定された爪を羽根の間に差し込み、分離させ、一体化されたハサミで切り取る装置である。
【請求項２】
請求項１のうち、可動する長い爪と  ハサミに固定された前記爪より短い爪で構成される基本的で重要な部分。
【発明の詳細な説明】
【技術分野】
【０００１】本発明はフライフィッシング（様式毛針釣り）のフライ（疑似餌）作成に於いてクイル（初列烈風風切羽根）の使用するタイプのフライを作成する場合にクイルを目的の巾で切り出す装置である。
【背景技術】
【０００２】従来クイルを切り離す場合、そのまま感覚で切り離すか、デバイス等の巾が一定に保持できる道具を用い分離させハサミで切り離すと言う作業であった。
【発明の開示】
【発明が解決しようとする課題】
【０００３】以上に述べた従来の手法は煩雑であり時間も掛かった。
【課題を解決するための手段】
【０００４】本発明の最大の特徴は、目的の巾に合わせるために移動出来る長い爪１をクイルに当てた上で、ハサミに固定された１より短い爪２を差し込み、隙間を押し広げハサミで切ると言う作業が可能になる。【０００５】よって最大の必要不可欠な構造は２の爪より１の爪が長いと言うことが作業性に於いて重要になる。【０００６】また１の爪は安全上面取りが施され、２の爪は刺すと言う作業の性格上、先端はある程度薄くとがった形状になる。
【発明の効果】
【０００７】上述のとおり本発明はクイルの切り出しが早く正確に作業が出来るばかりではなく、同愛好者に多い機能的な道具を嗜好する欲求も満足させるものである。
【発明を実施するための最良の形態】
【０００８】以下、本発明の実施形態を図１〜図５に基づいて説明する。【０００９】図においては、１は任意の巾を切り出すために可動できるシャフト４に８のネジで取りつけられた爪、２は３の一部でハサミに固定された爪である。【００１０】３はある程度市販の専用ハサミのハトメに対応出来るように汎用性をもたせた穴６が空けてあり、４にテンションを与えるためのバネ１１を取りつける穴９もあいている。【００１１】４には滑り止めとして５が１０のネジによって取りつけられ、任意の巾に切り出す補助としての目盛７が切られている。
また４の断面にはバネの溝１３とハトメの厚みを避けるための溝が切られている。【００１２】以下上記構成をまとめて説明する。目盛７を参考に５を動かす事によって１も動く、可動部全体はバネ１１によって固定されるので、そのまま１をクイルに当て２で刺し、広げ切り取る構造である。【００１３】本発明で最も重要なことは０００５と重複するが１と２の段差と取りつける上でのハサミ先端と２とのオフセット１４である。
【実施例】
【００１４】本発明は一部の愛好者用であり、また従来の記述が無いものなので特に添付の参考写真の参照を希望いたします。
【産業上の利用可能性】
【００１５】本発明は上記の通りごく一部の愛好者によって使用されるが対象は世界に存在するまた手作りの世界であるために、流行にとらわれることも無いため永く残る発明である。
【図面の簡単な説明】
【００１６】
【図１】本発明の実施形態を示すクイルカッターの側面図
【図２】同  裏面図
【図３】同  正面図
【図４】同  Ａ−Ａ断面図
【図５】同  完成予想図
【符号の説明】
【００１７】１    当て版の機能をもった可動する爪
２    ３の一部分でハサミに固定される、１より短い爪
３    ２と一体になったハサミに固定されるケース
４    １，１０、５，８で構成されるシャフト
５    滑り止め
６    ハサミのハトメをかわす穴
７    目盛
８    １を４に止めるビス
９    バネ１１を止める穴
１０  滑り止めを止めるビス
１１  バネ
１２  ハトメの厚みを避ける溝
１３  バネを止める溝
１４  重要なハサミと２のオフセットの表現
１５  本発明の最も重要な１と２の段差の強調
【図１】
2009247344.tif 000003
【図２】
2009247344.tif 000004
【図３】
2009247344.tif 000005
【図４】
2009247344.tif 000006
【図５】
2009247344.tif 000007
(57)【要約】【課題】一旦捕虫シートにより捕獲した飛翔昆虫を捕虫シートの交換時期の遅れた場合又捕虫シートの交換時にも捕虫器外部に落下させることの無い捕虫器を提供する。【解決手段】飛翔昆虫を誘引するための誘虫ランプ１をソケット２を介して着脱可能に配した灯具を覆い、側面に誘虫ランプの光を外部に放出し、外部より飛来した飛翔昆虫が通過可能な開口部を有した本体カバー３の底面に、コの字型に折り曲げた捕虫テープ４を着脱可能に設置するためのホルダー５を具備したトレー６を着脱可能に設けた。【選択図】図１
2009247346.tif 000002
【特許請求の範囲】
【請求項１】
飛翔昆虫を誘引するための誘虫ランプをソケットを介して着脱可能に配した灯具を覆い、側面に誘虫ランプの光を外部に放出し、外部より飛来した飛翔昆虫が通過可能な開口部を有した本体カバーの底面に、コの字型に折り曲げた捕虫テープを着脱可能に設置するためのホルダーを具備したトレーを着脱可能に設けたことを特徴とする捕虫器。
【発明の詳細な説明】
【技術分野】
【０００１】  本発明は、誘虫ランプにより誘引した蝿、蚊、羽虫及び蛾等の飛翔昆虫を捕虫紙により捕獲する捕虫器の改良に関する。
【背景技術】
【０００２】  従来この種の捕虫器においては、例えば食品加工場の異物混入対策として設置されることを目的としている。捕虫器は捕虫シート等の交換を要するものであるが、交換時期の遅れ等で捕虫シートの糊が乾燥した場合捕虫シートから脱落して捕虫器底部あるいは捕虫器外に落ちることにより、高所に吊り下げあるいは壁掛け等で設置された捕虫器から虫が落下し異物混入の恐れがあるという問題があった。【０００３】  前述の問題に対しては、空調などの風により虫が落下するのを防止する落下防止部材を設けたものがある（例えば、特許文献１参照。）。【０００４】  しかし、これらの捕虫器では、捕虫シートの交換時期の遅れ等で捕虫シートの糊が乾燥した場合捕虫シートから脱落して捕虫器底部あるいは捕虫器外に落ちることにより、高所に吊り下げあるいは壁掛け等で設置された捕虫器から虫が落下し異物混入の恐れを低減する方法は提案されていない。
【特許文献１】特開２００５−５８０５０
【発明の開示】
【発明が解決しようとする課題】
【０００５】  本発明はこのような課題を解決するもので、一旦捕虫シートにより捕獲した飛翔昆虫を捕虫シートの交換時期の遅れた場合又捕虫シートの交換時にも捕虫器外部に落下させることの無い捕虫器を提供することを目的とするものである。
【課題を解決するための手段】
【０００６】  この課題を解決するために本発明は、飛翔昆虫を誘引するための誘虫ランプ１をソケット２を介して着脱可能に配した灯具を覆い、側面に誘虫ランプの光を外部に放出し、外部より飛来した飛翔昆虫が通過可能な開口部を有した本体カバー３の底面に、コの字型に折り曲げた捕虫テープ４を着脱可能に設置するためのホルダー５を具備したトレー６を着脱可能に設けたことを要旨とするものである。
【発明の効果】
【０００７】  この構成により、誘虫ランプの光は全ての開口部から本体カバー外部に放射され、充分な誘引効果を得られる。開口部から本体カバー内部入った飛翔昆虫は、開口部正面には誘虫ランプがあるため、その下方の空間に入り本体カバー開口部下端から底面に亘って設置された捕虫シートにより捕獲される。また、一旦捕獲された飛翔昆虫は捕虫シートの交換時期が遅れたため糊が乾燥して糊から離れても底面の捕虫シートに落下するだけである。又捕虫シートの交換時にも捕虫シートの側面部を底面部に畳み込むことにより捕獲した飛翔昆虫を全て捕虫シートと共に廃棄することが可能となる捕虫器を提供することができる。
【発明を実施するための最良の形態】
【０００８】  以下、本発明を実施するための最良の形態について、図面に基づいて説明する。
図１において、１は誘虫ランプである。これらは本体カバー３の両方の短手側立設面内側にソケット２により着脱可能に保持されている。本体カバー３の長手側立設面の上方は、複数の開口部５がもうけられている。【０００９】  本体カバー３の底面には内部の誘虫ランプ及び捕虫テープの交換のため、着脱可能あるいは開閉可能にトレー６が設置されている。トレー６上面にはコの字型に折り曲げた捕虫シート４を保持するためのホルダー５が長手側両端付近にそれぞれ捕虫シートを保持するに十分な数を十分な間隔で配置されている。【００１０】  上記構成の捕虫器は、天井より吊り下げる方法により設置することを主な目的に設計されたものであるが、壁掛け用金具をカバーに設置することにより、同様の効果を有する壁掛け用捕虫器とすることもできる。
【図面の簡単な説明】
【図１】  本発明に係る捕虫器の好適な一例を示した斜視分解図である。
【符号の説明】
１    誘虫ランプ
２    ソケット
３    本体カバー
４    捕虫シート
５    ホルダー
６    トレー
【図１】
2009247346.tif 000003